Podtech/llm-jp-corpus-v4-ja_patent huggingface dataset:
(57)【要約】      （修正有）【課題】枕中身材として、優れた感触と柔らかい弾性、復元力を持ち、通気性のある衛生的な製品を提供する。【解決手段】カットパイプと大小の大きさの発泡軟性チップを適量割合で混合する。カットパイプのままの状態のものと、チップだけのままの状態のものと、それと重要なパイプの内径に小さい発泡チップの詰まった状態のものが混在する中身材ができあがる。発泡ウレタン、発泡プラスチックなどの軟性発泡成形材、又は成形材を破砕された中身材を生産する。この２種類の材料を適量割合で混合し、通気性に優れ衛生的で、優れた感触が得られる事を特徴とする。【選択図】図１
0003148811.tif 000002
【実用新案登録請求の範囲】
【請求項１】
４パイ〜１０パイ、厚さ０．１〜２．０ｍｍ、長さ４〜１５ｍｍ程度のプラスチックを材料とした、押出成形されたカットパイプと、発泡プラスチック、発泡ウレタンなどの軟性発泡成形材、又は、成形材を破砕したもので、カットパイプの内径を基準に、又、それ以下のものはパイプ内に混合時、内包されることを前提に、それ以下のものと、それ以上の大きさ寸法を有する成形材、又は、破砕材を製造し、適量割合でそれぞれを混合して枕中身材として必要な適度な感触よい弾性を有し、丸洗いも可能な衛生的な枕中身材である事を特徴とする。
【考案の詳細な説明】
【技術分野】
【０００１】
本考案は、枕の中身材に関するものである。
【背景技術】
【０００２】
枕材の多くは、農業生産などによる自然界よりの、ソバガラ、モミガラ、綿、小豆などが主材料であった。
【０００３】
近年生活用式の変化や、使用者の要求も多様化してきた。使い心地、衛生面などの消費者の要求も多く、新しい材料の開発が望まれていた。
【０００４】
業界内では、化学綿、発泡ウレタン、プラスチックパイプ等々、カビや微生物に強い材料も数多く開発され使用される様になった。多様化する中でも、消費者にとっての要求に十分には応えられていなかった。
【０００５】
通気性に優れ衛生的なプラスチックパイプ材料が開発され、消費者の人気を得ている。又、体に優しいとして低反発発泡ウレタン材料が人気を得ている。
【考案の開示】
【考案が解決しようとする課題】
【０００６】
この二つの材料の長所を併せ持つ材料の開発が、消費者の要求に応えることである。
【課題を解決するための手段】
【０００７】
本考案は、適宜にパイプの形状と材質を設定し、その内径を基準に、内径に入り込み可能な、それ以下の大きさのものと、内径に入る事の不可能なそれ以上の大きさになるように、発泡ウレタン、発泡プラスチックなどの軟性発泡成形材、又は成形材を破砕された中身材を生産する。この２種類の材料を適量割合で混合し、通気性に優れ衛生的で、優れた感触が得られる事を特徴とする。
【考案の効果】
【０００８】
本枕中身材は、通気性に優れ、夏期熱を中にためる事も少なく、また断熱力もある事冬期冷え込みを防止できる利点がある。
【考案を実施するための最良の形態】
【０００９】
生産される材料により、最良混合比は多少異なるが、２種類の材料を混合する事で、単独材料で使用する場合より、感触の優れた弾力性が得られ、復元力もよくなる利点を実現した。
【実施例１】
【００１０】
図１は、カットパイプと発泡材チップを３通りの形態を示したものである。
【００１１】
図１の図上より（１）で示すカットパイプのみ、図中が（１）の中に（２）内径より小さい発泡チップが一体となったものを示す。図下は（２）（３）発泡チップ大小を示す。
【産業上の利用可能性】
【００１２】
カットパイプは弾力性と通気性がある。枕中身材として優れた感触性を持つ軟性発泡チップは、中身材として軽質である事と弾性復元性が弱い欠点を持つが、カットパイプと混合する事で、相乗効果が生まれ復元力があり、感触の優れた枕中身材として、消費者に好まれる材料を提供できる。
【図面の簡単な説明】
【００１３】
【図１】枕中身材２種類と、使用時の形態を示した説明図である。
【符号の説明】
【００１４】
１．プラスチックパイプ
２．発泡チップ（小）
３．発泡チップ（大）
【図１】
0003148811.tif 000003
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
４パイ〜１０パイ、厚さ０．１〜２．０ｍｍ、長さ４〜１５ｍｍ程度のプラスチックを材料とした、押出成形されたカットパイプと、発泡プラスチック、発泡ウレタンなどの軟性発泡成形材、又は、成形材を破砕したもので、カットパイプの内径を基準に、又、それ以下のものはパイプ内に混合時、内包されることを前提に、それ以下のものと、それ以上の大きさ寸法を有する成形材、又は、破砕材を製造し、適量割合でそれぞれを混合して枕中身材として必要で適度な感触よい弾性を有する枕の中身材。
【手続補正２】
【補正対象書類名】明細書
【補正対象項目名】０００７
【補正方法】変更
【補正の内容】
【０００７】
本考案は、適宜にパイプの形状と材質を設定し、その内径を基準に、内径に入り込み可能な、それ以下の大きさのものと、内径に入る事の不可能なそれ以上の大きさになるように、発泡ウレタン、発泡プラスチックなどの軟性発泡成形材、又は成形材を破砕された中身材を生産する。この２種類の材料を適量割合で混合し、通気性に優れ衛生的で、単独中身材使用では得られない優れた感触が得られる事を特徴とする。
(57)【要約】      （修正有）【課題】押して歩く速さでも明るく、停止しても走行中に蓄電した電力で照明を続ける自転車の灯火装置を提供する。【解決手段】自転車の走行により駆動する発電機１の発電した交流電気は、倍電圧整流回路２で整流し直流として、その電力を２分し充電回路４の充電を開始、同時にＬＥＤ発光ダイオード３の点灯をする。ＬＥＤ発光ダイオード３に加わる発生電圧が、大又は小の時は発生電圧検知回路５と切替え回路６の動作で、その発電状況下で最良の灯火をする。１の発電電圧がＬＥＤ発光ダイオード３を発光するのに足りない場合、又は一時停止で発電機１の発電電圧が０ボルトになった場合、充電回路４に蓄電した電力がＬＥＤ発光ダイオード３へと放電し灯火を続ける。【選択図】図２
0003148847.tif 000002
【実用新案登録請求の範囲】
【請求項１】
自転車の走行によって駆動する発電機１と、整流回路２と、この発電機によって点灯するＬＥＤ発光ダイオード３を使用する灯火装置に於いて、発電電圧をキャパシタコンデンサーに蓄電する充電回路４及び、発電機１と蓄電した充電回路４の電圧検知回路５並びに、発電電圧が、大、小、又は一時０ボルトに於いて、発光ダイオード３に最良の電圧を加えるための切替え回路６を有することを特徴とする自転車照明装置。
【考案の詳細な説明】
【技術分野】
【０００１】
この考案は発電機使用の自転車灯火装置に関する。
【背景技術】
【０００２】
従来の灯火装置は、照度が低い、停車すると即消える、蓄電装置搭載の機種も
在るが装置が複雑である。
【考案の開示】
【考案が解決しようとする課題】
【０００３】
しかしながら、以上の技術によれば、自転車を押して歩く速さでは暗く、坂道や街路灯の無い悪路で一時停止すると全く道路状況が見えない。
そこでこの考案は、押して歩く速さでも明るく、停止しても走行中に蓄電した電力で照明を続け簡単で安価な装置を提供することを課題とする。
【課題を解決するための手段】
【０００４】
以上の課題を解決するために充電回路４、発生電圧検知回路５、切替え回路６、を設けたことを特徴とする自転車の照明装置である。《図２（ロ）参照》
【考案の効果】
【０００５】
キャパシタコンデンサーに蓄電する充電回路４、発生電圧検知回路５、ＬＥＤ発光ダイオード３に最適の電圧を加える切替え回路６、の組み合わせで、発電電圧の大、小、又は一時０ボルトに於いても発光ダイオードに、その状況下で最良の電圧を供給するので、安定した照明ができる。《図２（ロ）参照》
【考案を実施するための最良の形態】
【０００６】
この考案の一実施形態を図２（イ）（ロ）に示します。自転車の走行により駆動する発電機１の発電した交流電気は、倍電圧整流回路２で整流し直流として、その電力を２分し充電回路４の充電を開始、同時にＬＥＤ発光ダイオード３の点灯をする。
ＬＥＤ発光ダイオード３に加わる発生電圧が、大又は小の時は発生電圧検知回路５と切替え回路６の動作で、その発電状況下で最良の灯火をする。
１の発電電圧がＬＥＤ発光ダイオード３を発光するのに足りない場合、又は一時停止で発電機１の発電電圧が０ボルトになった場合、充電回路４に蓄電した電力がＬＥＤ発光ダイオード３へと放電し灯火を続ける。《図２（ロ）参照》
（実施形態の効果）
【０００７】
この実施形態によれば、発電機１は走行速度で発生電圧が変化するので、この考案は次に記す条件を満たす。
押して歩くゆっくり走行時は発生電圧が低いので、回路損失を最小に成るように切替え回路６で制御し、電流をＬＥＤ発光ダイオードに最大に流し灯火するので明るい。
速い走行時は発電電圧が高いので、切替え回路６でＬＥＤ発光ダイオード３の規格値を超え過電流を与えないようＬＥＤ発光ダイオードの保護をする。
一時停車した時、発電機１の発電電圧は０ボルトに成るので直ぐ消灯しないよう、走行中に充電回路４のキャパシタコンデンサーに充電した充電電力で灯火を続ける。《図２（ロ）参照》
回路が簡単で小型に設計できるので、従来のヘットライト内部改良で収納でき安
価で製作できる。《図２（イ）参照》
（回路の精細動作）
【０００８】
従来の電球では消費電力が大きいのでＬＥＤ発光ダイオードＤ４を使います。
発電した電圧は、Ｃ１、Ｃ２、Ｄ１、Ｄ２、で構成する倍電圧整流回路で整流し
ＬＥＤ発光ダイオードＤ４で点灯し、同時にキャパシタコンデンサーＣ２に蓄電する。
Ｃ２に全く蓄電してない初走行の発電電圧が低い時Ｄ４のＬＥＤの発光ダイオードを効率良く発行させる為整流した電圧はＲ２を経てＴＲ２をＯＮにすることでＲ３を電気的に胆略した事になりＬＥＤ発光ダイオードＤ４の両端電圧は、発電電圧にほぼ等しく、その発電電圧の条件下で最良の発光をする。
発電電圧が高くなりＬＥＤ発光ダイオード、Ｄ４の規定電圧に達するとツェナーダイオードＤ３が導通しＴＲ１をＯＮにして、ＴＲ２のベース電圧を下げＴＲ２をＯＦＦに、ＴＲ２に流れていた電流は遮断されＬＥＤ発光ダイオード、Ｄ４の電流回路はＲ３のみと切替わり電流はＲ３で阻止されＬＥＤ、Ｄ４に流れる過電流による破損を防ぐと共に、その電圧条件下で最良の発光をする。《図３参照》
尚ツェナーダイオードＤ３の導通電圧は，ＬＥＤ発光ダイオードＤ４の規定電圧に合わせて選択設定する。
【図面の簡単な説明】
【０００９】
【図１】従来の発電型照明装置の系統図
【図２】（イ）はヘットランプ部に考案装置を収めた略図                          （ロ）は考案装置の系統図
【図３】考案装置の電子回路
【符号の説明】
【００１０】
１                発電機
２                整流回路
３                ＬＥＤ発光ダイオード
４                充電回路
５                発生電圧検知回路
６                切替え回路                     《図２イロ参照》
Ｄ１  Ｄ２        整流用ダイオード
Ｄ３              ツェナーダイオード
Ｄ４              ＬＥＤ発光ダイオード
Ｒ１  Ｒ２  Ｒ３  抵抗
ＴＲ１  ＴＲ２    ＮＰＮトランジスター  
Ｃ２              キャパシタコンデンサー  （電気二重層コンデンサー）
《図３参照》
【図１】
0003148847.tif 000003
【図２】
0003148847.tif 000004
【図３】
0003148847.tif 000005
(57)【要約】      （修正有）【課題】貯水槽からボイラーへの給水時にも、蒸気圧を安定に保つことができるよう、給水予熱配管回路を設けた蒸気機関車模型を提供する。【解決手段】ボイラー胴１とボイラーオオイ４の間に熱交換可能に給水管５を螺旋状に配置し、給水ポンプからの送水による給水が移動中に予熱されてボイラー内部に給水されることから蒸気圧変動の少ない給水回路を持った安価な蒸気機関車模型を提供する。【選択図】図１
0003148259.tif 000002
【実用新案登録請求の範囲】
【請求項１】
蒸気機関車のボイラー胴（１）とボイラーオオイ（４）の間にボイラー胴との熱交換可能なように熱媒体（２）を充填介在させた給水管（５）を螺旋状に巻きつけて配置したことを特徴とする給水予熱配管回路をもった蒸気機関車模型。
【考案の詳細な説明】
【技術分野】
【技術分野】
【０００１】運転者が乗車したり、乗客をのせた客車を引いて楽しむ蒸気機関車の模型として、石炭やガスを焚き、ボイラー内の水を沸騰させ、これによって得られる蒸気により、蒸気エンジンを駆動する本物の蒸気機関車と同じ原理、構造を模した蒸気機関車模型に関する。
【背景技術】
【０００２】従来より、ボイラーへの給水は、実物と同じような熱交換器を具備して、予め熱した状態で給水する事は模型としてのスペース上の制約から非常に困難であり、図２、図３に示すように動輪の車軸に設けられた軸動ポンプ（７）や手押しポンプ（１３）により炭水車の水槽より常温のままボイラーへ直接給水される。
【考案の開示】
【考案が解決しようとする課題】
【０００３】これは次のような欠点があった。
運転に必要な安定した蒸気圧をうる為には小刻みな投炭とボイラー水位をなるべく一定に保つよう小刻みな給水する必要があるが、従来、炭水車等の水槽に蓄えられた常温の水をボイラーに直接給水することから、給水は沸騰しているボイラー水を急激に冷やす事にもなり、火力の変動次第では大きく蒸気圧の低下を招き、著しい場合は運転不能に陥る。
【課題を解決する為の手段】
【０００４】  上記欠点を解消するため本考案は蒸気機関車のボイラー胴（１）とボイラーオオイ（４）の間にボイラー胴（１）との熱交換可能なように熱媒体（２）を充填介在させた給水管（５）を螺旋状に巻きつけて配置し、図２、図３に示す給水ポンプ（７）（１３）から送られた水が管路移動中に熱せられ、ボイラー内部に給水される給水予熱配管回路を設けた事を特徴とする。
【考案の効果】
【０００５】当発明は特別な熱交換装置を具備することなく、給水回路を熱交換可能に配置する事で予熱してボイラーへの給水を行えることから圧力変動の少ない運転し易い蒸気機関車模型を安価に提供できる。
【考案を実施するための最良の形態】
【０００６】以下、本考案の実施の形態を説明する。
（イ）ボイラー胴とボイラーオオイの間に一度の給水量に相当する内容量を持った長さの給水管（５）をボイラー胴（１）に螺旋状に巻きつけ、ボイラーへ逆支弁（６）を介して接続される。（ロ）巻きつけた給水管（５）とボイラー胴（１）との熱交換を効率よく行えるよう、熱媒体（２）を充填介在させると共に、外部への熱伝達ロスを極力抑えるよう、その外側に断熱材（３）を配置した上で、ボイラーオオイ（４）を設ける。（ハ）図２に示すように、模型のボイラーへの給水系統は主台枠のポンプ横バリに取り付けられたポンプ（７）のラムを、動輪の車軸に設けた偏心輪装置で駆動し、走行中にバイパス弁（８）を閉じる事により自動的に給水する軸動ポンプ（７）と炭水車に設置された手押しポンプ（１３）とからなる２系統の給水回路は１系統に纏められ巻きつけ給水管（５）に接続され、更に逆支弁（６）を介してボイラーに接続される。（ニ）これらによりポンプ作業（７）（１３）による給水は予熱昇温されボイラー内に供給される。
本考案は以上の構成よりなる蒸気機関車模型の給水予熱配管回路である。
【図面の簡単な説明】
【０００７】
【図１】本考案の給水回路図
【図２】従来給水回路図
【図３】炭水車
【符号の説明】
【０００８】１  ボイラー胴
２  熱媒体
３  断熱材
４  ボイラーオオイ
５  給水管
６  逆支弁
７  軸動ポンプ
８  バイパス弁
９  バイパスホース
１０耐圧ホース
１１サクションホース
１２ポンプ逆支弁
１３手押しポンプ
１４ハンドル
１５チリコシ
【図１】
0003148259.tif 000003
【図２】
0003148259.tif 000004
【図３】
0003148259.tif 000005
(57)【要約】【課題】  筒に排尿口を設け、尿汚れを防止できるはねあげ装置付筒状水洗小便器を提供する。【解決手段】筒の一端と軸承に回転自在に支持された回転軸を取り付けた筒が上下左右３６０度、どの方向にも自在に可動する、他端に排尿口を設け筒の縁を股に押し当てて筒の中に排尿する。また筒の内側に給水口を配置し、排尿中は筒の中に水を流し、使用しない時は筒をはね上げ止水する。尿汚れ防止に役立つ。【選択図】図１
0003148255.tif 000002
【実用新案登録請求の範囲】
【請求項１】
筒の一端に軸承に回転自在に支持され、回転軸に取り付けた筒が上下左右３６０度、どの方向にも自在に可動すると共に、他端に排尿口を設けて、筒の中に排尿する構造とし、筒の内側に給水口を配置して使用中は筒内に水を流し、使用しないときは筒をはね上げ止水する構成を特徴とする、はね上げ装置付筒状水洗小便器。
【考案の詳細な説明】
【技術分野】
【０００１】  本考案は筒の一端に排尿口を設け、他端に回転軸に取り付けた筒が上下左右３６０度、どの方向にも自在に可動する小便器に関するものである。
【背景技術】
【０００２】  加齢とともに身体機能低下により、便器周りを汚す事が多い。
【考案の開示】
【考案が解決しようとする課題】
【０００３】  便器周りの汚れ掃除などに時間的・労働的負担がある、従って筒の中に排尿すれば便器周りを汚すことなく、尿汚れを解決しようとするものである。
【問題を解決するための手段】
【０００４】本考案は筒の一端、軸承に回転自在に支持された回転軸に取り付けた筒が上下左右３６０度、どの方向にも自在に可動し他端に排尿口を設け筒の縁を股に押し当て筒の中に排尿する。また筒の内側に給水口を配置し、排尿中は筒の中に水を流し使用していない時は筒をはね上げ止水する。尿汚れの問題を解決する。
【考案の効果】
【０００５】本考案のはね上げ装置付筒状水洗小便器は、筒の一端に排尿口を設け筒の中に排尿するので便器周りを汚すことがなく、筒をはね上げれば周りが広く使えて尿汚れ防止に役立つ。
【考案の実施すための最良の形態】
【０００６】筒の一端に排尿口を設け、他端に軸承に回転自在に支持された回転軸取り付けた筒が、背の高さに合わせ上下左右に可動し筒の縁を股に押し当て、筒の中に排尿する。また筒の内側に給水口を配置し排尿中は筒内に水を流し、使用しない時は筒をはね上げ止水する。
【実施例】
【０００７】添付図面に従って実施例を説明する。１はプラスチック等で形成された筒で、排尿中の状態を示す。２は排尿口で３の縁を股に押し当て筒の中に排尿する。４は給水口で排尿中は水を流し、５の排水口により排水する。６は軸承に支持された７の左右軸、８の上下軸、９は筒をはね上げて使用していない状態を示す。
【図面の簡単な説明】
【０００８】
【図１】本考案の、はね上げ装置付筒状水洗小便器の断面図である。
【符号の説明】
【０００９】１    筒２    排尿口３    縁４    給水口５    排水口６    軸承７    左右軸８    上下軸９    はね上げた筒１０  壁１１  床
【図１】
0003148255.tif 000003
(57)【要約】      （修正有）【課題】孔位置測定のための補助具を提供する。【解決手段】コレットチャックの突出部端に鍔部を設け、該チャック下方に有孔の保持体を取り付け、保持体下部の孔に測定棒を挿入係止させたことを特徴とする。これにより、鍔部の作用にてコレットチャックを介して測定棒を孔に安定保持させることのできる有用なる用具を得ることができ、また、コレットチャックの突出部間隔は可変のため、所定範囲内にて種々のサイズの孔に適用することができる。【選択図】図５
0003148253.tif 000002
【実用新案登録請求の範囲】
【請求項１】
コレットチャックの突出部端に鍔部を設け、該チャック下方に有孔の保持体を取り付け、保持体下部の孔に測定棒を挿入係止させたことを特徴とする孔位置測定補助具。
【考案の詳細な説明】
【技術分野】
【０００１】  この考案は、孔位置とりわけ自動車フレームの孔位置を測定する場合に用いて便利なる孔位置の測定補助具に関する。
【背景技術】
【０００２】  従来より、種々の孔位置測定具や装置が利用されているが、そのいずれも孔位置に接触する部分は略円錐形の物体を用いており、本案にて示すように、半径方向に移動可能な部分を有し、段部を利用して孔に吊下保持可能なる用具は見あたらない。
【考案の開示】
【考案が解決しようとする課題】
【０００３】  既述のように、従来の孔位置測定は、孔に下から円錐状の接触部をあてがって行うものであり、そのあてがい方によっては正確な測定とはならず、孔に対する固定ではないためにその位置がずれる恐れがあり、より簡易で正確な測定を行う手段が求められている。
本案は、以上のような従来からの孔位置測定手段に関わる課題を解決するために発明されたもので、測定しようとする孔に容易に取り付けてその正確な位置を示すとともに、位置ずれの恐れのない新規かつ有用なる用具を提供することを目的としたものである。
【課題を解決するための手段】
【０００４】  課題を解決する手段として本案は以下の構成とした。
すなわち、コレットチャックの突出部端に鍔部を設け、該チャック下方に有孔の保持体を取り付け、保持体下部の孔に測定棒を挿入係止させる。本案は以上の構成よりなる孔位置測定補助具である。
【考案の効果】
【０００５】  本発明によれば、鍔部の作用にてコレットチャックを介して測定棒を孔に安定保持させることのできる有用なる用具を得ることができる。また、コレットチャックの突出部間隔は可変のため、所定範囲内にて種々のサイズの孔に摘要することができる。
【考案を実施するための最良の形態】
【０００６】  以下、本考案の実施形態について説明する。
図において、１はコレットチャックで、その主要部は旋盤などに用いられる市販品と同様構成である。このコレットチャックには環状の締め具２が備わり、これを回すことにて摺動体３が同期して溝内を摺動する。この摺動体は円弧状の側面を有して３個が等配に設けられており、通常はその一部が突出しており、この突出部が開いたり閉じたりして丸棒状の物品を挟持するよう構成されている。４は鍔部で、上記突出部側面一部を小径に切削してできた張り出し部状の部分である。５は円柱状の保持体で、その上下部に内径を違えた孔を有しており、上部の孔に前記チャックの筒状部分が圧入される。下部の孔には略角棒状の測定棒６が挿入される。また、保持体側面適所には貫通雌ねじが刻設され、ここに蝶ねじが螺合し、その先端にて測定棒が押圧保持される。この測定棒の側面適所には目盛り７が表現される。【０００７】  本案を使用するには、まず締め具を回して摺動体を相互接近位置とし、突出部分を測定しようとする孔の下から挿入する。次に、締め具を逆方向に回すと摺動体は相互距離を大にするように開いていき、やがてその外周が孔の内周に当接する。このとき、鍔部下面が孔の上面に当接するようにし、さらに締め具を回すことにて摺動体突出部側面が孔内周に押圧挟持される。この状態において、孔に対し垂直に測定棒が下方位置し、この測定棒側面には目盛りが表示されているので、適切な測定具・装置を併用することにて、孔位置を正しく測ることができる。測定終了後は、既述と逆の作業にて孔より本品を取り外して次の孔位置測定へと進むことができる。また、必要に応じて蝶ねじをゆるめて測定棒を抜き取り、長さの異なる別の測定棒を装着して利用することができる。【０００８】  以上、本案について記したが、本案は鍔部を有する摺動体を備えたところにその特徴を有するものである。この鍔部は孔の上面に接し、摺動体は孔側面に押圧挟持されるために、本品は孔から脱落することなく孔に垂直に保持され、測定棒には目盛りが付されているので孔位置を正しく測定できるものとなったのである。なお、既述の例は実施の一例であり、近似の他の構成としてもよい。
以上のごとく、本案によって容易かつ正確に孔位置を測定するための補助具を提供することができる。
【図面の簡単な説明】
【０００９】
【図１】本考案の平面図（摺動体閉状態）
【図２】本考案の正面図（摺動体閉状態）
【図３】本考案の平面図（摺動体開状態）
【図４】本考案の正面図（摺動体開状態）
【図５】本考案の使用状態説明図
【符号の説明】
【００１０】  １  コレットチャック
２  締め具
３  摺動体
４  鍔部
５  保持体
６  測定棒
７  目盛り
８  蝶ねじ
９  孔
【図１】
0003148253.tif 000003
【図２】
0003148253.tif 000004
【図３】
0003148253.tif 000005
【図４】
0003148253.tif 000006
【図５】
0003148253.tif 000007
(57)【要約】      （修正有）【課題】バス等の車両の広告宣伝において、簡単に広告が変更でき、時間や作業労力が削減できるアドマグネットシートを提供する。【解決手段】あらかじめ薄めのビニールシートの表面に広告宣伝の絵をプリントし、該シート裏面にはマグネット粉末と接着剤を混合したものをシートに吹き付けもしくは塗りつけたアドマグネットシートを用意しておき、そのシートを張り替えることで、従来のペイント作業による長時間、多額費用を短時間に低額費用に変更でき、尚且つ車両運行稼動時間が減少する事を防止し解決し、会社経営から考えて広告宣伝の変更時に要する時間と費用を軽減する。【選択図】図１
0003148251.tif 000002
【実用新案登録請求の範囲】
【請求項１】
車両の外側に貼り付ける極薄ナイロン等のビニール製シート本体（１）は、表面にはポスター等広告用の絵（２）をプリントし、その反対側の裏面には強力な磁力性のあるマグネット合金の粉末に接着剤を混合した磁力性の高い液状のもの（３）を、シート本体に吹き付け又は塗りつけをしたビニールシートを鋼板製の車両ボディに貼り付けて、広告宣伝が出来る機能を備えたアドマグネットシート。
【請求項２】
車両に貼り付けるアドマグネットシート本体（１）は、ビニール製で出来ているが、その表面は、ポスター等の広告用の絵をプリントしたもの（２）とし、その裏面は、強力な磁力性のあるマグネット合金の粉末にしたものに接着剤を混入したもの吹き付け又は塗りつけ（３）、１枚のシートとしているが、車両の高速運転において生じる空気抵抗から該シートがはがれないように、進行方向側には特別に強く作用する強力な磁力を持った磁鉱石粉末を特別に吹き付け（４）したシートとし、反対にシートの磁力が強力すぎてシート交換のとき簡単に剥がすことが出来ないので、簡単に剥がすことが出来るように車輌進行方向の反対側角部分だけマグネットの液状を吹き付け等をせず（５）、簡単に剥がすことが出来るように、シートに工夫をしたアドマグネットシート。
【考案の詳細な説明】
【技術分野】
【０００１】  本考案は、現在使用しているバス等の車両にポスター類の絵をペイントして、又は薄いビニールにポスター等をプリントしたものに接着剤を吹き付けしたシートを車両に貼り付けて、そのバス等の車両を走行させて広告宣伝をしているが、そのバス等にポスター類の絵をペイントする時やペイントした絵を剥がすとき、又は、又、薄いビニールにポスター等をプリントしたシートを車両より剥がすとき、ペンキや接着剤を除去するのに相当の時間がかかり、バス等の稼働時間が減少され、経営的に見て非常に効率が悪いものであるが、その弊害等のマイナス要因を除き経営的に効率のよい短時間でのペイント塗り替え、又は、剥がしたりする事が出来るように、該シートをマグネットの磁力を利用して簡単に脱着可能なようにして広告宣伝することができるようにしたものである。
【背景技術】
【０００２】  一般にこの種のバス等車両の車外にペイントしている現在の車外広告は、広告ポスターを変更する場合、数日間に及ぶ相当の作業時間と変更工賃がかかり、広告の張替え又は書き換え作業は大変なものである。広告ポスターは１社のみで簡単に容易に広告の変更ができない、急ぎ広告をする必要がある場合にタイムリーな広告が出来ない等の不便等、さまざまな問題点がある。
【考案の開示】
【考案が解決しようとする課題】
【０００３】  本考案は、上記従来の欠点を解決するもので、その目的とする所は、車両広告のポスター変更に関しては、瞬時に極短時間でポスターを変更するようにしたものである。
又、既存のマグネットビニールシートは、強力な磁力を含んだマグネットシートでないため、車両の高速運転時に生じるシートの空気抵抗から剥がれ易いものであり、剥がれないものとしなければならない。
【課題を解決するための手段】
【０００４】  上記目的を解決するために、本考案のアドマグネットシートは、表面にポスター類をプリントしたビニール製のシートで、裏面には車両鋼板に付着しやすいように強力な磁力性のあるマグネット合金の粉末に接着剤を混合させた液状のものを吹き付けし又は塗りつけて、車両等の広告用ポスターのペイントに要する時間、ペイント除去の時間、シート接着剤の除去を極端に短縮さすため、該シートを装着して広告宣伝をする。
又、通常のマグネットシートは車両の高速運転時に生じる該シートとの空気抵抗から剥がれやすく、それを防ぐため、本考案のシートは、車両進行方向側の端の部分は特に強力な磁力性のあるマグネット合金の粉末を余分に吹き付けをし、本体全体は通常の既存のマグネットシートより更に強力にして、車両進行方向と反対側の端部分は剥がれやすくするため、角部分に磁力粉末を吹き付け等をしないものとする。
【考案の効果】
【０００５】  本考案は、従来の車両等に直接ペイントして広告宣伝する方法とは別に、外部でプリントを施したアドマグネットシートを車両に貼り付けることで、簡単に広告が変更でき、時間、作業労力が削減でき又、車両を運行できない時間の短縮があり会社経営にも大きく貢献する効果がある。
又、既存のマグネットシートとは違い、高速運転時に生じる該シートとの空気抵抗からくる剥がれやすさを防ぎ、該シートが長期に貼り付け可能なものとしたものである。
【考案を実施するための最良の形態】
【０００６】  本考案の最良の用法を説明すると、車輌の外側に既に別の場所で製品として製造したアドマグネットシートを車輌に貼り付けるだけで、広告宣伝のポスターの変更を簡単にし、且つ、車両運転時に生じる空気抵抗を防ぎ剥がれにくくしたものである。
【実施例】
【０００７】  本考案の実施例を図面について説明すると、
図１に示すが如く、アドマグネットシート本体（１）には、表面（２）にポスター類をプリントしたものを車両に貼り付けたもの。
図２に示す如く表面（２）にポスター類をプリントしたものを裏面（３）にはマグネット粉末と接着剤を混合させた液状を吹き付けして、車両に貼り付ける。
又、該シートを剥がれやすくするため隅にマグネットを付着しないようにして剥がれやすくする。
図３に示すが如く、該シートの裏面（３）は、車両進行方向側には車両運転時に生じる空気抵抗からくる剥がれやすさを防止するため特別に強力な磁力の粉末を貼り付け（４）、逆に進行方向と反対の後部側の隅にすぐ剥がされるようにマグネット粉末を付着しないもの（５）としたアドマグネットシートを、車両に貼り付けて広告宣伝をすることが出来るシート。
【図面の簡単な説明】
【０００８】
【図１】本考案のアドマグネットシートを車両に取付けた正面図である。
【図２】本考案のシート本体の表面と裏面の断面図である。
【図３】本考案のシート裏面の正面図である。
【符号の説明】
【０００９】１    アドマグネットシート本体
２    シート本体の表面に絵をプリントしたもの
３    シート本体の裏面にマグネット粉末と接着剤を混合した液状を吹きつけたもの
４    車両進行方向側に、特別に強力な磁力製の高い粉末を吹き付けた部分
５    車両進行方向と反対側の角に、マグネット粉末を吹き付けしない部分
【図１】
0003148251.tif 000003
【図２】
0003148251.tif 000004
【図３】
0003148251.tif 000005
(57)【要約】      （修正有）【課題】バラ等の落ち葉を取り除く際に、手入れ作業者のトゲによる怪我を防ぎ、落ち葉を容易に取り除くことができる落ち葉取り除き具を提供する。【解決手段】落ち葉刺し棒と、落ち葉刺し棒の一端に着脱自在に取付けた葉刺し針とから構成したことを特徴とする落ち葉取り除き具で、上記落ち葉刺し棒の一端に、上記落ち葉刺し針の収納部を設けた。更に、上記落ち葉刺し棒に棒伸縮調整手段を設けた落ち葉取り除き具である。【選択図】図１
0003148260.tif 000002
【実用新案登録請求の範囲】
【請求項１】
落ち葉刺し棒と、同落ち葉刺し棒の一端に着脱自在に取付けた葉刺し針とから構成したことを特徴とする落ち葉取り除き具。
【請求項２】
上記落ち葉刺し棒の一端に、上記落ち葉刺し針の収納部を設けたことを特徴とする請求項１に記載の落ち葉取り除き具。
【請求項３】
上記落ち葉刺し棒に棒伸縮調整手段を設けたことを特徴とする請求項１及びまたは請求項２に記載の落ち葉取り除き具。
【考案の詳細な説明】
【技術分野】
【０００１】本考案は、バラ等の落ち葉を取り除く際に、手入れ作業者のトゲによる怪我を防ぎ、落ち葉を容易に取り除くことができる落ち葉取り除き具に関する。
【背景技術】
【０００２】バラ栽培においては、手作業の場合が多く根元などに落ちている葉を取り除く場合に、トゲで怪我や腰を深く屈めて作業するため身体に支障をきたすなどの問題点があった。
【考案の開示】
【考案が解決しようとする課題】
【０００３】  バラ栽培では、病気で広範に落葉した葉に、雨や水が付着してバラの落ち葉が腐敗すると、病気で落葉腐敗した葉の病原菌が土からバラの根を通して、バラの葉がまた病気に犯されるため、バラの落ち葉が腐食する前に、バラの落ち葉を早めに除去する必要がある。ところが、バラの落ち葉の除去の際、バラのトゲで手入れ作業者が怪我をするなどの問題があり、バラのトゲで怪我をすることもなく、バラ等の落ち葉の葉を除去する場合に、手入れ作業者が腰を曲げずに立ったままの状態で作業ができ、バラ等の落ち葉を安全で容易に取り除くことができてバラ作りが楽しくなる落ち葉取り除き具が切望されていた。
【課題を解決するための手段】
【０００４】上述の目的を達成するため、本考案では、落ち葉刺し棒と、落ち葉刺し棒の一端に着脱自在に取付けた葉刺し針とから構成したことを特徴とする落ち葉取り除き具で、上記落ち葉刺し棒の一端に、上記落ち葉刺し針の収納部を設けた。更に、上記落ち葉刺し棒に棒伸縮調整手段を設けた落ち葉取り除き具である。
【考案の効果】
【０００５】  上述の構成による落ち葉取り除き具は、落ち葉刺し棒の一端に葉刺し針を着脱自在に取り付けて、刺し棒を長くし上からの視線で安全にバラなどの落ち葉を容易に取り除くことができた。作業終了後には、安全のため針を刺し棒から抜き取り反転させ刺し棒の中へ収納することで、葉刺し針で怪我をしない安全な落ち葉取り除き具にした。更に、本考案は、落ち葉刺し棒に棒伸縮調整手段を設け、落ち葉刺し棒を伸び縮み自在にし、葉刺し針の針先と手元の距離を自由に変えられる落ち葉取り除き具で、長い棒の先の葉刺し針で落ち葉を次々に刺していくため、腰を曲げることも無くトゲで怪我をすることも無くなった。
【考案を実施するための最良の形態】
【０００６】本考案に係る実施の形態を図１から図３を参照して、以下に説明する。
【実施例】
【０００７】図１は、本考案に係る落ち葉取り除き具の使用可能時の状態を示す説明図で、落ち葉刺し棒１の先端に、葉刺し針２を葉刺し針のストッパ部２ｂまで差し込んで固着した状態を図示している。【０００８】図２は、本考案に係る落ち葉取り除き具の不使用時の状態を示す説明図で、落ち葉刺し棒１の先端に取付けた葉刺し針２を取り外して、落ち葉刺し棒１の葉刺し針収納部１ａに、葉刺し針２の針先２ａ側を葉刺し針２のストッパ部２ｂまで差し込んだ状態を図示している。【０００９】図３は、本考案に係る落ち葉取り除き具に落ち葉刺し延長棒を取付る時の状態を示す説明図で、落ち葉刺し棒１の延長ネジ１ｂ部に、落ち葉刺し延長棒３を矢印方向に押し付けながら、矢印方向にねじ込んだ状態を図示している。本実施例では、落ち葉刺し棒の棒伸縮調整手段として、落ち葉刺し延長棒３を用いたが、スライド式の高枝切りや、釣りの延べ竿、更には、折り尺のアイデアを流用することも出来る。また、葉刺し針２の針は、１本とは限らず、２本や３本など複数本としても良い。更に、葉刺し針２の針には、返りを１箇所以上設けて落ち葉が葉刺し針２の針先２ａから落ち葉取り除き作業中に外れないようにしたり、落ち葉刺し棒１の握り部外周を波状にして、手にフィットさせて、作業者の手の滑りと、疲れを低減し、加えて、落ち葉刺し棒１の握り部が重心点となるように、落ち葉刺し棒１にバランス・ウエイトを取り付けこともできる。
【産業上の利用可能性】
【００１０】本考案に係る落ち葉取り除き具は、バラ等の落ち葉の葉を除去のみならず、とげを有する柊やダラ、栗、ピラカンサ、ひいらぎ南天などの手入れ作業にも適用可能である。
【図面の簡単な説明】
【００１１】
【図１】本考案に係る落ち葉取り除き具の使用可能時の状態を示す説明図
【図２】本考案に係る落ち葉取り除き具の不使用時の状態を示す説明図
【図３】本考案に係る落ち葉取り除き具に落ち葉刺し延長棒を取付た説明図である。
【符号の説明】
【００１２】１      落ち葉刺し棒
１ａ    落ち葉刺し棒の葉刺し針収納部
１ｂ    落ち葉刺し棒の延長ネジ
２      葉刺し針
２ａ    葉刺し針の針先
２ｂ    葉刺し針のストッパ部
３      落ち葉刺し延長棒
【図１】
0003148260.tif 000003
【図２】
0003148260.tif 000004
【図３】
0003148260.tif 000005
(57)【要約】      （修正有）【課題】立ち上がったり体をひねったりした際でもずれることなく使用することができる多目的電気ひざ掛けを提供する。【解決手段】内部にヒーターを組み込んだ繊維により形成されたひざ掛けにおいて、腰などに巻き付けて使用する際にひざ掛けがはだけることを防止するため、ひざ掛けの適当な位置にボタン或いは面ファスナーなどにより、巻き付けた状態でひざ掛けを固定出来ることを特徴としたものである。また、肩から掛けて使用する際にひざ掛けが肩から落下することを防止するため、腕をひざ掛けの外側に通すことができるよう、ひざ掛けの適当な位置にファスナー或いは面ファスナーなどにより開閉する開口部を設けたことを特徴とした新規の多目的電気ひざ掛けである。【選択図】図２
0003148257.tif 000002
【実用新案登録請求の範囲】
【請求項１】
内部にヒーターを組み込んだ繊維により形成されたひざ掛けにおいて、腰などに巻き付けて使用する際にひざ掛けがはだけることを防止するため、ひざ掛けの適当な位置にボタン或いは面ファスナーなどにより巻き付けた状態でひざ掛けを固定出来ることを特徴としたヒーター内蔵ひざ掛け。
【請求項２】
内部にヒーターを組み込んだ繊維により形成されたひざ掛けにおいて、肩から掛けて使用する際にひざ掛けが肩から落下することを防止するため、腕をひざ掛けの外側に通すことができるよう、ひざ掛けの適当な位置にファスナー或いは面ファスナーなどにより開閉する開口部を設けたことを特徴としたヒーター内蔵ひざ掛け。
【考案の詳細な説明】
【技術分野】
【０００１】  本考案は、複数の目的に使用できるひざ掛けに関するものであり、ひざ掛けに取り付けられたボタンや面ファスナー及びファスナーなどにより、使用時のひざ掛けのずれや脱落を防止することを目的とした電気ひざ掛けに関する。
【背景技術】
【０００２】  従来から電気ひざ掛けは種々のものが提案されている。ひざ掛けの内部にコードヒーターなどを内蔵したものが代表例である。
【考案の開示】
【考案が解決しようとする課題】
【０００３】  従来の電気ひざ掛けにおいては、ひざに掛けて使用することを想定としている為、立ち上がったり体を捻ったりした際に、ひざ掛けがずれてしまい、十分な温熱効果を得られない場合があった。また肩に掛けて使用した際には容易にひざ掛けが脱落してしまうものであった。
【課題を解決するための手段】
【０００４】  本考案では前記の課題を解決する為に、内部にヒーターを組み込んだ繊維により形成されたひざ掛けにおいて、腰などに巻き付けて使用する際にひざ掛けがはだけることを防止するため、ひざ掛けの適当な位置にボタン或いは面ファスナーなどにより巻き付けた状態でひざ掛けを固定出来ることを特徴とする。【０００５】  また、内部にヒーターを組み込んだ繊維により形成されたひざ掛けにおいて、肩から掛けて使用する際にひざ掛けが肩から落下することを防止するため、腕をひざ掛けの外側に通すことができるよう、ひざ掛けの適当な位置にファスナー或いは面ファスナーなどにより開閉する開口部を設けたことを特徴とする。
【考案の効果】
【０００６】  請求項１にかかる本考案の多目的電気ひざ掛けでは、腰などにひざ掛けを巻きつけた際にボタンや面ファスナーなどでひざ掛けを固定することが出来る為、立ち上がったり体を捻ったりした際でもひざ掛けがずれることなく使用することが出来る。【０００７】  請求項２にかかる本考案の多目的電気ひざ掛けでは、腕をひざ掛けの外側に通すことが出来るファスナーや面ファスナーなどにより開閉が出来る開口部が設けられているため、ひざ掛けを肩に掛けて使用する際に、ひざ掛けが落下することなく使用することが出来る。
【考案を実施するための最良の形態】
【０００８】  以下、本考案の実施の形態を図面を参照しつつ説明する。【０００９】図１は、本考案の実施の形態に係る多目的電気ひざ掛けの概略全体図であり、同図１ａはひざ掛け本体、同図１ｂはコントローラである。図２は図１ａひざ掛け本体を平らに広げた図である。【００１０】図２において、２ａに示すようなボタンなどをひざ掛け上部に複数取り付ける。これによりひざ掛けを腰などに巻き付けて使用する際に、ひざ掛けを固定することが出来、またボタンなどを複数取り付けることにより、サイズを調整することができる。また、１ａボタンは面ファスナーや紐などであっても良い。【００１１】図２において、２ｂ及び２ｂ’に示すようなボタンをひざ掛け両端に複数取り付ける。これによりひざ掛けを腰などに巻き付けて使用する際に、足元がはだけることを防止する。また、２ｂ２ｂ’ボタンは面ファスナーや紐であっても良い。【００１２】図２において、２ｃに示すような開口部を、ひざ掛け中央に２箇所設ける。これによりひざ掛けを肩から掛けて使用する際に腕を外側に出すことが出来、ひざ掛けが落下することを防止する。また、２ｃ開口部にはファスナーなどによる開閉が出来ることが望ましい。【００１３】図３は本考案による多目的電気ひざ掛けを腰に巻きつけた状態の図である。
前記の通り２ａのボタンにより腰に巻きつけた状態でひざ掛けが固定され、また２ｂ２ｂ’のボタンにより足元がはだけることなく巻きつけることが出来る。【００１４】図４は本考案による多目的電気ひざ掛けを肩から掛けた状態の図である。
前記の通り２ｃの開口部より腕を外側に出すことが出来る為、ひざ掛けが肩から落ちることなく使用することが出来る。
【図面の簡単な説明】
【００１５】
【図１】多目的電気ひざ掛けの概略全体図
【図２】ひざ掛け本体を平面に広げた図
【図３】多目的ひざ掛けを腰に巻き付けて使用した状態
【図４】多目的ひざ掛けを肩から掛けて使用した状態
【符号の説明】
【００１６】１  １ａ  ：  ひざ掛け本体
２  １ｂ  ：  コントローラ及び電源コード
３  ２ａ  ：  腰巻付け用ボタン
４  ２ｂ及び２ｂ’  ：  足元巻付け用ボタン
２  ２ｃ  ：  腕通し用開口部
【図１】
0003148257.tif 000003
【図２】
0003148257.tif 000004
【図３】
0003148257.tif 000005
【図４】
0003148257.tif 000006
(57)【要約】      （修正有）【課題】演舞やパフォーマンス用として燃えることのできる日本刀を提供する。【解決手段】ファイヤーダンスの要素も取り入れ、さらなるパフォーマンス力を日本刀に持たせることが特徴になる。日本刀の外見美を残しつつ、刀身に細工を施し、可燃料を加えることにより繰り返し燃やすことのできるものである。燃える部分は上身（かみ）つまり刀身であり鞘に収まる部分とし、使用する部材として灯油ランプの芯のような耐火材料とする。一般的な可燃料は灯油であり、耐火材料に必要分染み込ませ、点火することにより発火する。【選択図】図２
0003148223.tif 000002
【実用新案登録請求の範囲】
【請求項１】
日本刀の外見美を残しつつ、刀身に細工を施し、可燃料を加えることにより繰り返し燃やすことのできるものである。
【請求項２】
ファイヤーサムライソードに音効果を付けたものである。刀身をファイヤーソードとして更に柄に細工を施し、刀と刀の衝撃金属音を発することを特徴とする。
【考案の詳細な説明】
【技術分野】
【０００１】  本考案は、日本刀に関するものであり、演舞やパフォーマンス用として燃えることのできる日本刀である。
【背景技術】
【０００２】  現在においても日本刀は、摸造刀・居合刀として実際に切れるものから鑑賞用など、さまざまな形で使用されている。
【考案の開示】
【考案が解決しようとする課題】
【０００３】  解決しようとする問題点は、パフォーマンス力の向上とクオリティの高さである。演武を行う際に重視されるのは何を切るのか、その切れ味、どう対峙するのか、などが挙げられる。演出力以外にそれに使う道具そのものの変化あるいは向上があればパフォーマンスの質も同様により良くなる。
【課題を解決するための手段】
【０００４】  これらの問題点を課題とし解決する為に炎を利用する。ファイヤーダンスの要素も取り入れ、さらなるパフォーマンス力を日本刀に持たせることが特徴になる。請求項１は日本刀の外見美を残しつつ、刀身に細工を施し、可燃料を加えることにより繰り返し燃やすことのできるものである（図１）。燃える部分は上身（かみ）つまり刀身であり鞘に収まる部分とし、使用する部材として灯油ランプの芯のような耐火材料とする。一般的な可燃料は灯油であり、耐火材に必要分染み込ませ、点火することにより発火する。（図２参照）【０００５】  また、請求項２の考案はファイヤーサムライソードに音効果を付けたものである。刀身をファイヤーソードとして柄に細工を施し、刀と刀の衝撃金属音に似せて音を発することを特徴とする。例えば、真鍮製のベルをスライドできるように加工した柄に取り付け、シンバルのように当てることにより、遠くまで響く金属音を鳴らす。（図３参照）
【考案の効果】
【０００６】  本考案により、日本刀は新たなパフォーマンス力を持ち、さらに多くの人を魅了する。ファイヤーダンスとの融合はさらなる可能性を開拓しつつ、国境を越えて浸透してゆく。また、単に演出力を高めるだけでなく、通常、ファイヤーダンスに使用される道具はその利用後、黒く燃え残り、触れるものを汚してしまうが、造形のクオリティの高さを要求することによって、不使用時に鞘に収まることにより鑑賞用としても遜色なく存在できる。【０００７】また、パフォーマンスの一環としても、鞘に納めるとこにより消火でき安全である。その為にも鞘は鉄やステンレス製がよい。
【考案を実施するための最良の形態】
【０００８】  図４に示すように鉄やステンレスなどの素材を芯として、耐火材を芯が隠れる程度に覆うように巻きつけ耐火糸で縫うなどして、ほどけないように止める。芯は実際に切れる必要はなく、形状を重視するものとする。【０００９】  鞘は納まる過程での耐火材の劣化を考慮し、多少大きめにするとよい。【００１０】実際に火を点けて使用する際、自身の安全や周辺への配慮に最善の注意を払うことが必要である。消火器、水の入ったバケツ、濡れタオルなどを用意するとよい。
【図面の簡単な説明】
【００１１】
【図１】三角法で書いたファイヤーサムライソードである。
【図２】刀身に灯油を染み込ませ、発火までの説明・側面図である。
【図３】請求項２の発音柄の説明・側面図である。
【図４】刀身の断面図である。
【符号の説明】
【００１２】１    上身（刀身）
２    鍔
３    柄
４    可燃料（灯油）
５    ライター等
６    炎
７    金属発音部
８    縫い目
９    耐火材
１０  刀身の芯
【図１】
0003148223.tif 000003
【図２】
0003148223.tif 000004
【図３】
0003148223.tif 000005
【図４】
0003148223.tif 000006
【手続補正書】
【提出日】平成20年10月9日(2008.10.9)
【手続補正１】
【補正対象書類名】実用新案登録請求の範囲
【補正対象項目名】全文
【補正方法】変更
【補正の内容】
【実用新案登録請求の範囲】
【請求項１】
日本刀の刀身部を可燃料を染み込ませる為の耐火材で覆い、発火することにより燃えるように構成された日本刀。
【請求項２】
柄に金属音を発生する手段を設けたことを特徴とする請求項１記載の日本刀。
(57)【要約】      （修正有）【課題】バストを美しく見せることを目的として、さらに姿勢を補正し使いやすさや美容と健康を追求したサイドウイング付ブラジャーを提供する。【解決手段】ブラジャー本体の後かぎホック付け部１１，１２から後脇２脇上辺３カップ脇４を通りストラップ取り付け部分１８までの生地（サイドウイング）１がブラジャー本体後身頃９の上に重なる様に取り付け、ぜい肉を後脇２から、脇上辺３、さらにカップ脇４にかけて集め、クロス構造になっているストラップ１０が背中の高い位置５でクロス（たすき掛け）する相乗効果によって、バストを上に持ち上げ、正しい位置で保持し姿勢を良くして、シルエットを綺麗に見せる。【選択図】図１
0003148228.tif 000002
【実用新案登録請求の範囲】
【請求項１】
ブラジャー本体の後かぎホック付け部（１１）（１２）から後脇（２）脇上辺（３）カップ脇（４）を通りストラップ取り付け部分（１８）までの生地（サイドウイング）（１）が、ブラジャー本体後身頃（９）の上に重なって二重になっており、ぜい肉を後脇（２）から、脇上辺（３）、さらにカップ脇（４）にかけて集め、カップサイズをワンランクアップさせる。さらにクロス構造になっているストラップ（１０）が背中の高い位置（５）でクロス（たすき掛け）することで、バストを上に持ち上げ、姿勢を保持して、シルエットを綺麗に見せる事を特長とするサイドウイング付ブラジャー
【考案の詳細な説明】
【考案の詳細な説明】
【技術分野】
【０００１】本考案は、バストアップや姿勢矯正に寄与するブラジャーの応用に関するものである。
【在来の技術】
【０００２】    現在、ほとんどの女性が美容には気を使い、かなりのお金を使っているのが事実である。その中にはバストアップの悩みを抱えている女性も多く、一般的にはバストアップブラジャーは必需品であり、バストアップに多額の費用を掛ける女性も多い。しかしながら従来のブラジャーはカップの脇に付けたリフトが余ったぜい肉をかき集めるという方式であるが、リフト部分の大半がブラジャーのカップ及び本体生地の上に載せているため、ストラップで引っ張ったとしても、カップ自体にストレッチ効果が無いため、十分な効果は望めなかった。本格的にバストアップするには、ブラジャーの中にパットを入れたり、カップ自体が非常に厚い生地で出来たブラジャーであったり、シームレスカップのように、初めからカップ自体がバストの形をしている物が主流であった。
【考案が解決しようとする課題】
【０００３】これらのバストアップブラジャーは、様々なメーカーから美容衣料として販売されては要るがどちらかというとバストアップ効果は、おまけ的商品が多かった。本発明は、従来のブラジャーには無かった新しい発想とデザインによる、バストアップを追求した商品であり、２０代、３０代、４０代と歳を取るごとに、たれていく胸を、その年代、その体型で一番美しく見ることを追求したブラジャーで積極的に美容や健康商品として利用する為に発明したものである。
【課題を解決する為の手段】
【０００４】ブラジャー本体の後かぎホック付け部（１１）（１２）から後脇（２）脇上辺（３）カップ脇（４）を通りストラップ取り付け部分（１８）までの生地（サイドウイング）（１）をブラジャー本体後身頃（９）の上に重なる様に取り付け、ぜい肉を後脇（２）から、脇上辺（３）、さらにカップ脇（４）にかけて集める。生地を裁断する場合、生地の目の流れを［図５］矢印方向を揃えることで、クロス構造になっているストラップ（１０）が背中の高い位置（５）でクロス（たすき掛け）する相乗効果によって、バストを上に持ち上げ、正しい位置で保持し姿勢を良くして、シルエットを綺麗に見せる。
【考案の効果】
【０００５】▲１▼  ブラジャーのサイドウイング（１）が大きいため、本格的なバストアップが可能
▲２▼  ブラジャーのサイドウイング（１）がブラジャー本体後身頃と二重になり、適度な力で締め付け、バストを上に持ち上げることが出来る。
▲３▼  後の部分にかぎホックが付いているため、フロントホックでもサイズ調整ができる。
▲４▼  クロス構造になっているストラップ（１０）が背中の高い位置（５）でクロス（たすき掛け）することで、バストを正しい位置に持ち上げ保持
▲５▼  デザインや加工方法が簡単であるから、大量生産が出来るメリットがある。
【図面の簡単な説明】
【図１】本考案のブラジャー、正面図である。
【図２】本考案のブラジャー、背面図である。
【図３】本考案のブラジャー、フロントホックをはずした正面図である。
【図４】本考案のブラジャー、フロントホックをはずした背面図である。
【図５】本考案のブラジャー、着用時、正面図である。
【図６】本考案のブラジャー、着用時、背面図である。
【符号の説明】
１  ブラジャー本体サイドウイング部分
２  ブラジャー本体後脇
３  ブラジャー本体脇上辺
４  ブラジャー本体カップ脇
５  ストラップ（１０）のクロス（たすき掛け）構造部分
６  カップ上辺表布
７  カップ下辺左右表布
８  ブラジャー本体前脇布
９  ブラジャー本体後身頃
１０  ストラップ
１１  フックアイ（メスかぎ）
１２  フックアイ（オスかぎ）
１３  フロントホック
１４  ブラジャー本体カップ上辺裏布
１５  カップ下辺左右裏布
１６  ブラジャー本体アンダーテープ
１７  ブラジャー本体フイルムボーン入りテープ
１８  ブラジャー本体ストラップ取り付け部分
【図１】
0003148228.tif 000003
【図２】
0003148228.tif 000004
【図３】
0003148228.tif 000005
【図４】
0003148228.tif 000006
【図５】
0003148228.tif 000007
【図６】
0003148228.tif 000008
【手続補正書】
【提出日】平成20年11月5日(2008.11.5)
【手続補正１】
【補正対象書類名】実用新案登録請求の範囲
【補正対象項目名】全文
【補正方法】変更
【補正の内容】
【実用新案登録請求の範囲】
【請求項１】
ブラジャー本体の後かぎホック付け部（１１）（１２）から後脇（２）脇上辺（３）カップ脇（４）を通りストラップ取り付け部分（１８）までの生地（サイドウイング）（１）が、ブラジャー本体後身頃（９）の上に重なって二重になっており、ぜい肉を後脇（２）から、脇上辺（３）、さらにカップ脇（４）にかけて集め、さらにクロス構造になっているストラップ（１０）が背中の高い位置（５）でクロス（たすき掛け）することで、バストを上に持ち上げ、姿勢を保持して、シルエットを綺麗に見せる事を特長とするサイドウイング付ブラジャー。